【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
下記一般式（１）で表されるグルタル酸無水物単位を含む熱可塑性共重合体であって、該熱可塑性共重合体の２８０ｎｍ波長における吸光度（ここで、吸光度は、厚さ１００μｍでのフィルムを用いて、紫外可視分光光度計で測定した値を示す）が０．５以下であり、かつガラス転移温度が１３０℃以上である熱可塑性共重合体（Ａ）、白色充填剤（Ｂ）および加飾剤（Ｃ）を含んでなることを特徴とする石目調樹脂組成物。
【化１】
2005248089.tif 000001
（上記式中、Ｒ1、Ｒ2は、同一または相異なるものであり、水素原子および炭素数１〜５のアルキル基から選ばれるいずれかを表す）
【請求項２】
熱可塑性共重合体（Ａ）が（ｉ）グルタル酸無水物単位および（ii）不飽和カルボン酸アルキルエステル単位からなる熱可塑性共重合体、若しくは上記（i）、（ii）の単位および（iii）不飽和カルボン酸単位からなる熱可塑性共重合体、または上記（i）、（ii）の単位若しくは上記（i）、（ii）、（iii）の単位および（iv）その他のビニル系単量体単位からなる熱可塑性共重合体であり、該熱可塑性共重合体を構成する単量体単位(i)〜(iv)中、芳香環を含むビニル系単量体単位が５重量％未満である請求項１記載の石目調樹脂組成物。
【請求項３】
熱可塑性共重合体（Ａ）が、不飽和カルボン酸アルキルエステル単量体および不飽和カルボン酸単量体を含む単量体混合物を、９５℃以下の温度で重合して（ｄ）原共重合体を得、次いで該原共重合体（ｄ）を加熱し、（イ）脱アルコール反応および／または（ロ）脱水反応により得られたものである請求項１または２記載の石目調樹脂組成物。
【請求項４】
（iii）不飽和カルボン酸単位が、下記一般式（２）で表される構造を有する請求項１〜３いずれか記載の石目調樹脂組成物。
【化２】
2005248089.tif 000002
（ただし、Ｒ3は水素および炭素数１〜５のアルキル基から選ばれるいずれかを表す）
【請求項５】
（ii）不飽和カルボン酸アルキルエステル単位が、下記一般式（３）で表される構造を有する請求項１〜４いずれか記載の石目調樹脂組成物。
【化３】
2005248089.tif 000003
（ただし、Ｒ4は水素および炭素数１〜５のアルキル基から選ばれるいずれかを表し、Ｒ５は炭素数１〜６の脂肪族若しくは脂環式炭化水素基又は１個以上炭素数以下の数の水酸基若しくはハロゲンで置換された炭素数１〜６の脂肪族若しくは脂環式炭化水素基を表す）
【請求項６】
(iv)その他のビニル系単量体単位が芳香環を含まないことを特徴とする請求項１〜５いずれか記載の石目調樹脂組成物。
【請求項７】
白色充填剤（Ｂ）が炭酸カルシウム、炭酸マグネシウム、硫酸バリウム、酸化カルシウム、酸化アルミニウム、酸化チタン、ケイ酸アルミニウム、酸化ケイ素、水酸化アルミニウム、水酸化カルシウム、水酸化マグネシウムからなるからなる群から選択された少なくとも一種の材料であることを特徴とする請求項１〜６いずれか記載の石目調樹脂組成物。
【請求項８】
加飾剤（Ｃ）が板状または粉状充填剤を基材に染料および／または顔料を含む樹脂で被覆した無機充填剤系加飾剤、染料および／または顔料を含む熱硬化性樹脂の破砕粉体である熱硬化性樹脂系加飾剤、金属もしくは金属化合物からなる、または金属もしくは金属化合物を蒸着してなる、金属光沢を有する加飾剤、染料および／または顔料からなる着色剤系加飾剤からなる群から選択された少なくとも一種の材料であることを特徴とする請求項１〜７いずれか記載の石目調樹脂組成物。
【請求項９】
請求項１〜８いずれか記載の石目調樹脂組成物を成形することによって得られる成形品であって、その表面の鉛筆硬度が４Ｈ以上であることを特徴とする石目調樹脂成形品。
【手続補正２】
【補正対象書類名】明細書
【補正対象項目名】０００９
【補正方法】変更
【補正の内容】
【０００９】
（上記式中、Ｒ1、Ｒ2は、同一または相異なるものであり、水素原子および炭素数１〜５のアルキル基から選ばれるいずれかを表す）
[２]熱可塑性共重合体（Ａ）が（ｉ）グルタル酸無水物単位および（ii）不飽和カルボン酸アルキルエステル単位からなる熱可塑性共重合体、若しくは上記（i）、（ii）の単位および（iii）不飽和カルボン酸単位からなる熱可塑性共重合体、または上記（i）、（ii）の単位若しくは上記（i）、（ii）、（iii）の単位および（iv）その他のビニル系単量体単位からなる熱可塑性共重合体であり、該熱可塑性共重合体を構成する単量体単位(i)〜(iv)中、芳香環を含むビニル系単量体単位が５重量％未満である[１]記載の石目調樹脂組成物。
[３]熱可塑性共重合体（Ａ）が、不飽和カルボン酸アルキルエステル単量体および不飽和カルボン酸単量体を含む単量体混合物を、９５℃以下の温度で重合して（ｄ）原共重合体を得、次いで該原共重合体（ｄ）を加熱し、（イ）脱アルコール反応および／または（ロ）脱水反応により得られたものである[１]または[２]記載の石目調樹脂組成物。
[４]（iii）不飽和カルボン酸単位が、下記一般式（２）で表される構造を有する[１]〜[３]のいずれか記載の石目調樹脂組成物。
【手続補正３】
【補正対象書類名】明細書
【補正対象項目名】００１１
【補正方法】変更
【補正の内容】
【００１１】
（ただし、Ｒ3は水素および炭素数１〜５のアルキル基から選ばれるいずれかを表す）
[５]（ii）不飽和カルボン酸アルキルエステル単位が、下記一般式（３）で表される構造を有する[１]〜[４]いずれか記載の石目調樹脂組成物。
【手続補正４】
【補正対象書類名】明細書
【補正対象項目名】００１３
【補正方法】変更
【補正の内容】
【００１３】
（ただし、Ｒ4は水素および炭素数１〜５のアルキル基から選ばれるいずれかを表し、Ｒ5は炭素数１〜６の脂肪族若しくは脂環式炭化水素基又は１個以上炭素数以下の数の水酸基若しくはハロゲンで置換された炭素数１〜６の脂肪族若しくは脂環式炭化水素基を表す）
[６](iv)その他のビニル系単量体単位が芳香環を含まないことを特徴とする[１]〜[５]いずれか記載の石目調樹脂組成物。
[７]白色充填剤（Ｂ）が炭酸カルシウム、炭酸マグネシウム、硫酸バリウム、酸化カルシウム、酸化アルミニウム、酸化チタン、ケイ酸アルミニウム、酸化ケイ素、水酸化アルミニウム、水酸化カルシウム、水酸化マグネシウムからなるからなる群から選択された少なくとも一種の材料であることを特徴とする[１]〜[６]いずれか記載の石目調樹脂組成物。
[８]加飾剤（Ｃ）が板状または粉状充填剤を基材に染料および／または顔料を含む樹脂で被覆した無機充填剤系加飾剤、染料および／または顔料を含む熱硬化性樹脂の破砕粉体である熱硬化性樹脂系加飾剤、金属もしくは金属化合物からなる、または金属もしくは金属化合物を蒸着してなる、金属光沢を有する加飾剤、染料および／または顔料からなる着色剤系加飾剤からなる群から選択された少なくとも一種の材料であることを特徴とする[１]〜[７]いずれか記載の石目調樹脂組成物。
[９][１]〜[８]いずれか記載の石目調樹脂組成物を成形することによって得られる成形品であって、その表面の鉛筆硬度が４Ｈ以上であることを特徴とする石目調樹脂成形品。
を提供するものである。
【手続補正５】
【補正対象書類名】明細書
【補正対象項目名】００１８
【補正方法】変更
【補正の内容】
【００１８】
（上記式中、Ｒ1、Ｒ2は、同一または相異なるものであり、水素原子および炭素数１〜５のアルキル基から選ばれるいずれかを表す）
で表されるグルタル酸無水物単位を含む熱可塑性共重合体であり、例えば上記(i)の単位および（ii）不飽和カルボン酸アルキルエステル系単位からなる熱可塑性共重合体、若しくは上記(i)、(ii)の単位および（iii）不飽和カルボン酸単位を有する熱可塑性共重合体、または上記(i)、(ii)の単位若しくは上記(i)、(ii)、(iii)の単位および(iv)その他ビニル系単量体からなる熱可塑性共重合体等が挙げられ、これらは１種または２種以上で用いることができる。
【手続補正６】
【補正対象書類名】明細書
【補正対象項目名】００２２
【補正方法】変更
【補正の内容】
【００２２】
（ただし、Ｒ3は水素および炭素数１〜５のアルキル基から選ばれるいずれかを表す）
で表される化合物、マレイン酸、及びさらには無水マレイン酸の加水分解物などが挙げられるが、特に熱安定性が優れる点でアクリル酸、メタクリル酸が好ましく、より好ましくはメタクリル酸である。これらはその１種または２種以上用いることができる。なお、上記一般式（４）で表される不飽和カルボン酸単量体は、共重合すると上記一般式（２）で表される構造の（iii）不飽和カルボン酸単位を与える。
【手続補正７】
【補正対象書類名】明細書
【補正対象項目名】００２５
【補正方法】変更
【補正の内容】
【００２５】
（ただし、Ｒ4は水素および炭素数１〜５のアルキル基から選ばれるいずれかを表し、Ｒ5は炭素数１〜６の脂肪族若しくは脂環式炭化水素基又は１個以上炭素数以下の数の水酸基若しくはハロゲンで置換された炭素数１〜６の脂肪族若しくは脂環式炭化水素基を表す）
これらのうち、炭素数１〜６の脂肪族若しくは脂環式炭化水素基又は置換基を有する該炭化水素基を持つアクリル酸エステルおよび／またはメタクリル酸エステルが特に好適である。なお、上記一般式（５）で表される不飽和カルボン酸アルキルエステル単量体は、共重合すると上記一般式（３）で表される構造の（ii）不飽和カルボン酸アルキルエステル単位を与える。